(57)【要約】【課題】ＲＬＬ規則が崩されること無くＬＤＰＣ符号をインターリーブして、ＬＤＰＣ符号化・復号化方式の訂正能力が十分発揮される環境を得ることができる装置を得る。【解決手段】ユーザデータに対してＲＬＬ規則を適用して処理し、ＲＬＬ符号化系列データを得るＲＬＬ規則適用部１１と、前記ＲＬＬ符号化系列データに対してインターリーブ処理を行い、インターリーブド系列データを得るインターリーブ部１２と、前記インターリーブド系列データに対して、ＬＤＰＣ符号化処理を行い、ＬＤＰＣパリティー系列データを得るＬＤＰＣパリティー生成部１３と、前記ＬＤＰＣパリティー系列データのパリティーを前記ＲＬＬ符号化系列データに分散挿入して、出力データを得る挿入部１４と、前記出力データを記録又は伝送する出力部１５と、を有する。【選択図】      図１
2008011205.tif 000002
【特許請求の範囲】
【請求項１】
ユーザデータを所定規則に従って論理１と論理０のデータ並びの符号に変調処理し、変調規則適用符号化系列データを得る変調規則適用部と、
前記変調規則適用符号化系列データに対してインターリーブ処理を行い、インターリーブド系列データを得るインターリーブ部と、
前記インターリーブド系列データに対して、ロー・デンシティ・パリティー・チェック（ＬＤＰＣ）符号化処理を行い、ＬＤＰＣパリティー系列データを得るＬＤＰＣパリティー生成部と、
前記ＬＤＰＣパリティー系列データのパリティーを前記変調規則適用符号化系列データに分散挿入して、出力データを得る挿入部と、
前記出力データを伝送する出力部と、
を有することを特徴とする符号化装置。
【請求項２】
前記出力部は記録媒体に対する記録データとして前記出力データを伝送することを特徴とする請求項１記載の符号化装置。
【請求項３】
前記変調規則適用部は、
前記ユーザデータをラン・レングス・リミテッド（ＲＬＬ）規則を適用して処理し、前記変調規則適用符号化系列データとしてＲＬＬ符号化系列データを得るＲＬＬ規則適用部である請求項１記載の符号化装置。
【請求項４】
前記変調規則適用部は、
前記ユーザデータをマキシマム・トランジション・ラン（ＭＴＲ）規則を適用して処理し、前記変調規則適用符号化系列データとしてＭＴＲ符号化系列データを得るＭＴＲ規則適用部である請求項１記載の符号化装置。
【請求項５】
ユーザデータを所定規則に従って論理１と論理０のデータ並びの符号に変調処理した変調規則適用符号化系列データに対して、ロー・デンシティ・パリティー・チェック（ＬＤＰＣ）パリティー系列データのパリティーが分散挿入されている入力データを受け取り、前記変調規則適用符号化系列データと前記パリティーとを分離抽出する抽出部と、
抽出した変調規則適用符号化系列データに対してインターリーブ処理を行い、１次インターリーブド系列データを得るインターリーブ部と、
前記１次インターリーブド系列データと前記パリティーとを用いて、ＬＤＰＣ復号化処理を行い、訂正後インターリーブド系列データを得るＬＤＰＣ復号部と、
前記訂正後インターリーブド系列データをデインターリーブし、訂正後変調規則適用符号化系列データを得るデインターリーブ部と、
前記訂正後変調規則適用符号化系列データを処理し変調規則解除を行う変調規則解除部と、
を有することを特徴とする復号化装置。
【請求項６】
前記抽出は、記録媒体から読み取られたデータを前記入力データとして受け取ることを特徴とする請求項５記載の復号化装置。
【請求項７】
前記変調規則適用符号化系列データは、ラン・レングス・リミテッド（ＲＬＬ）規則を適用したＲＬＬ符号化系列データであることを特徴とする請求項５記載の復号化装置。
【請求項８】
前記変調規則適用符号化系列データは、マキシマム・トランジション・ラン（ＭＴＲ）規則を適用したＭＴＲ符号化系列データであることを特徴とする請求項５記載の復号化装置。
【請求項９】
ユーザデータを所定規則に従って論理１と論理０のデータ並びの符号に変調処理し、変調規則適用符号化系列データを得る変調規則適用部と、
前記変調規則適用符号化系列データに対してインターリーブ処理を行い、インターリーブド系列データを得る第１のインターリーブ部と、
前記インターリーブド系列データに対して、ロー・デンシティ・パリティー・チェック（ＬＤＰＣ）符号化処理を行い、ＬＤＰＣパリティー系列データを得るＬＤＰＣパリティー生成部と、
前記ＬＤＰＣパリティー系列データのパリティーを前記、変調規則適用符号化系列データに分散挿入して、出力データを得る挿入部と、
前記出力データを記録媒体への記録用として出力する出力部と、
前記記録媒体から再生され、前記変調規則適用符号化系列データにＬＤＰＣパリティー系列データのパリティーが分散挿入されている入力データを受け取り、前記変調規則適用符号化系列データと前記パリティーとを分離抽出する抽出部と、
抽出された変調規則適用符号化系列データに対してインターリーブ処理を行い、１次インターリーブド系列データを得る第２のインターリーブ部と、
前記１次インターリーブド系列データと抽出された前記パリティーとを用いて、ＬＤＰＣ復号化処理を行い、訂正後インターリーブド系列データを得るＬＤＰＣ復号部と、
前記訂正後インターリーブド系列データをデインターリーブし、訂正後変調規則適用符号化系列データを得るデインターリーブ部と、
前記訂正後、変調規則適用符号化系列データを処理し変調規則解除を行う変調規則解除部と、
を有することを特徴とする情報記録再生装置。
【請求項１０】
前記変調規則適用符号化系列データは、ＲＬＬ符号化系列データである請求項９記載の情報記録再生装置。
【請求項１１】
前記変調規則適用符号化系列データは、ＭＴＲ符号化系列データである請求項９記載の情報記録再生装置。
【請求項１２】
変調規則適用部で、ユーザデータを所定規則に従って論理１と論理０のデータ並びの符号に変調処理し、変調規則適用符号化系列データを得、
インターリーブ部で、前記変調規則適用符号化系列データに対してインターリーブ処理を行い、インターリーブド系列データを得、
ＬＤＰＣパリティー生成部で、前記インターリーブド系列データに対して、ロー・デンシティ・パリティー・チェック（ＬＤＰＣ）符号化処理を行い、ＬＤＰＣパリティー系列データを得、
挿入部で、前記ＬＤＰＣパリティー系列データのパリティーを前記変調規則適用符号化系列データに分散挿入して、出力データを得、
出力部から前記出力データを伝送する、
ことを特徴とする符号化方法。
【請求項１３】
抽出部で、変調規則適用符号化系列データにロー・デンシティ・パリティー・チェック（ＬＤＰＣ）パリティー系列データのパリティーが分散挿入されている入力データを受け取り、前記変調規則適用符号化系列データと前記パリティーとを分離抽出し、
インターリーブ部で、変調規則適用符号化系列データに対してインターリーブ処理を行い、１次インターリーブド系列データを得、
ＬＤＰＣ復号部で、前記１次インターリーブド系列データと前記パリティーとを用いて、ＬＤＰＣ復号化処理を行い、訂正後インターリーブド系列データを得、
デインターリーブ部で、前記訂正後インターリーブド系列データをデインターリーブし、訂正後変調規則適用符号化系列データを得、
変調規則解除部で、前記訂正後変調規則適用符号化系列データを処理し変調規則解除を行う、
ことを特徴とする復号化方法。
【発明の詳細な説明】
【技術分野】
【０００１】
この発明は、符号化装置及び復号化装置及び方法及び情報記録再生装置に関する。この発明は、記録すべき情報（ユーザデータ）に対して記録媒体に適した変調規則を適用し、さらにＬＤＰＣ（ロー・デンシティ・パリティー・チェック）符号化・復号化方式を採用した装置、方法、情報記録再生装置、またその記録媒体、に及ぶものである。例えば磁気記録の場合だと、連続する“０”の個数を制限するＲＬＬ符号化や、磁化の反転回数を制限するＭＴＲ（Ｍａｘｉｍｕｍ  Ｔｒａｎｓｉｔｉｏｎ  Ｒｕｎ）符号化などが記録媒体に適した変調方式として一般に知られている。この発明は、ＲＬＬ符号化やＭＴＲ符号化などによる変調方式を採用する記録再生系において適用できるものである。
【背景技術】
【０００２】
ｍビット単位のデータワードを、ＲＬＬ規則を満たすｎビット単位の情報ワードに符号化する技術と、ＬＤＰＣ符号化・復号化方式の技術を組み合わせた技術が特許文献１に開示されている。この技術では、ＬＤＰＣ符号の検査ビット情報を情報ワードの列に挿入し、かつＤＳＶ（デジタルサムバリュー）制御を行なっている。
【特許文献１】特開２００５−７８６８７公報
【発明の開示】
【発明が解決しようとする課題】
【０００３】
ＬＤＰＣ符号化・復号化方式で符号化された情報を復号処理する場合、各ビットが独立しているものと仮定して訂正や復号が行なわれる。このためＬＤＰＣ符号化・復号化方式は、ランダムなエラーや離散的なエラーに対しては訂正能力が高い。しかしながらＬＤＰＣ符号化・復号化方式は、連続エラーに対して訂正能力が弱いという問題がある。このような連続エラーは、記録媒体の一部に誇りが付着している状態、或いは微小な傷がある状態から、再生される信号に生じる。
【０００４】
このようなＬＤＰＣ符号化・復号化方式の弱点をカバーするためには、ＬＤＰＣ符号をインターリーブして記録媒体に記録することが考えられる。インターリーブを行なって記録された信号は、再生時にデインターリーブされる。このために、連続エラーの部分が、デインターリーブ処理により分散され、ランダムエラーとなり、ＬＤＰＣ符号化・復号化方式の訂正能力が十分発揮される環境となる。しかし、インターリーブを行なうと、次のような新たな問題が生じる。
【０００５】
つまり、情報が記録媒体に記録される過程では、ユーザデータに対して、変調規則適用処理として、例えばＲＬＬ規則処理が行われ、この結果に対して、次にＬＤＰＣ符号化が行われる。そして、ＬＤＰＣ符号化・復号化方式の弱点を補うためにインターリーブ処理が行われ、その結果の情報が記録される。
【０００６】
ここで問題となるのは、折角実施されたＲＬＬ規則がインターリーブ処理のために、崩れてしまうことである。このような事態を生じないためには、符号化の流れとして、「ＬＤＰＣ符号化→インターリーブ→ＲＬＬ符号化」とすれば、ＲＬＬ規則を崩すことなく送信系列が得られる。
【０００７】
しかし、「ＲＬＬ符号化→ＬＤＰＣ符号化」の順番でなければならない大きな理由がある。即ち、ＲＬＬ符号やＭＴＲ符号などは、符号化／復号化の際の入出力系列の値は“０”または“１”となる。しかし、ＬＤＰＣ符号やターボ符号で用いられる「繰り返し復号」においては、復号器の入力は“０”または“１”といった硬値ではなく、“０”らしさ、または“１”らしさを表す確率値（軟値）となる。これに伴い、ＰＲＭＬ方式においても、最尤系列として硬判定値を出力する従来のビタビ復号器に代わって、軟判定値を出力するＳＯＶＡ（Ｓｏｆｔ  Ｏｕｔｐｕｔ  Ｖｉｔｅｒｂｉ  Ａｌｇｏｒｉｔｈｍ）や、Ｍａｘ−Ｌｏｇ−ＭＡＰアルゴリズムが用いられる。したがって、「ＬＤＰＣ符号化→インターリーブ→ＲＬＬ符号化」という順で符号化された系列は、復号時には、「ＲＬＬ復号化→デインターリーブ→ＬＤＰＣ復号化」という順で復号を進めていく必要があるが、この場合ＲＬＬ復号器入力は軟判定値となってしまい、ＲＬＬ復号は困難となる。また、仮に軟判定情報のままＲＬＬ復号できたとしても、その判定情報はエラーを多く含んでいる可能性が高く、ＬＤＰＣ復号の性能が発揮されない。
【０００８】
そこでこの発明では、「ＲＬＬ符号化→ＬＤＰＣ符号化」の順番を維持しつつ、変調規則も崩されること無くＬＤＰＣ符号をインターリーブして、ＬＤＰＣ符号化・復号化方式の訂正能力が十分発揮される環境を得ることができる符号化・復号化装置及び方法と記録媒体を提供することを目的とする。
【課題を解決するための手段】
【０００９】
この発明は上記の目的を達成するために、基本的にはユーザデータを所定規則に従って論理１と論理０のデータ並びの符号に変調処理し、変調規則適用符号化系列データを得る変調規則適用部と、前記変調規則適用符号化系列データに対してインターリーブ処理を行い、インターリーブド系列データを得るインターリーブ部と、前記インターリーブド系列データに対して、ロー・デンシティ・パリティー・チェック（ＬＤＰＣ）符号化処理を行い、ＬＤＰＣパリティー系列データを得るＬＤＰＣパリティー生成部と、前記ＬＤＰＣパリティー系列データのパリティーを前記変調規則適用符号化系列データに分散挿入して、出力データを得る挿入部と、前記出力データを伝送する出力部と、を有する。
【発明の効果】
【００１０】
上記の手段によると例えば、ＲＬＬ規則で処理したデータ形態が崩されることなく、ＬＤＰＣ符号化・復号化方式の特徴を十分に生かすことができるインターリーブ処理を併用することができる符号化・復号化装置及び方法を提供できる。
【発明を実施するための最良の形態】
【００１１】
以下、図面を参照しながら、この発明の実施の形態を説明する。図１にはこの発明の装置の基本的な構成例を示している。今、記録媒体１００に対して情報を記録する例を説明する。
【００１２】
なお、以下の例では、ユーザデータを所定規則に従って論理１と論理０のデータ並びの符号に変調処理し、変調規則適用符号化系列データを得る変調規則適用部として、ＲＬＬ規則適用部１１を示している。このように、変調規則適用部が、ユーザデータをラン・レングス・リミテッド（ＲＬＬ）規則を適用して処理し、変調規則適用符号化系列データとしてのＲＬＬ符号化系列データを得る場合は、上記のＲＬＬ規則適用部１１が用いられる。しかし、変調規則適用部が、ユーザデータをマキシマム・トランジション・ラン（ＭＴＲ）規則を適用して処理し、変調規則適用符号化系列データとしてのＭＴＲ符号化系列データを得る場合は、ＭＴＲ規則適用部（図示せず）が利用される。また、それ以外の記録再生系に応じた変調方式を用いられる場合には、その変調方式に応じた変調規則適用部が利用される。
【００１３】
以下、前者の例で説明する。ユーザデータは、ＲＬＬ規則適用部１１に入力されてＲＬＬ規則に基づく処理が行われる。ＲＬＬ規則適用部１１から出力されたＲＬＬ符号化系列データは、インターリーブ部１２に供給されると共に、挿入部１４の一方の入力端子に供給される。
【００１４】
インターリーブ部１２は、ＲＬＬ符号化系列データに対して、例えば一定のバイト長（３２バイト）を単位としてインターリーブ処理を行う。インターリーブ部１２から出力されたインターリーブド系データは、ＬＤＰＣパリティー生成部１３に入力される。ここで、インターリーブする方法としては、ランダムインターリーブ、ユニフォームインターリーブ（ある規則にしたがう方法）の両方を含む。
【００１５】
ＬＤＰＣパリティー生成部１３では、ロー・デンシティ・パリティー・チェック符号化処理を行い、ＬＤＰＣパリティー系列データを得る。ここから得られたＬＤＰＣパリティー系列データは、ＲＬＬ規則が崩れている。したがって、符号化データ本体をそのまま記録用としては利用できない。
【００１６】
ＬＤＰＣパリティー系列データは、挿入部１４の他方の入力端子に供給される。挿入部１４では、パリティーのみを利用する。そして、データ本体は、ＲＬＬ規則適用部１１からのＲＬＬ符号化系列データを用いる。このために挿入部１４は、ＬＤＰＣパリティー生成部１３からのパリティーを、ＲＬＬ符号化系列データ内に分散して挿入する。分散するルールは、予め決められており、例えば２ビットずつ分離して、ＲＬＬ符号化系列データの数ワード単位毎に挿入する。このときの挿入ビットは、ＲＬＬ規則が崩れないように、一部拡張した領域に挿入される。
【００１７】
このように得られたデータが出力部１５を介して出力され、記録媒体１００に記録される。再生時には、以下のような処理が行われる。なおここで、さらにＥＣＣ処理が行われて記録されてもよい。
【００１８】
記録媒体１００から読み取られたデータは、抽出部２１に入力され、ユーザデータと、パリティーとが分離される。ユーザデータは、先のＲＬＬ符号化系列データであり、ここでは、再生ＲＬＬ符号化系列データと称することにする。図１の抽出部２１の前段には軟判定出力ビタビ復号器が用いられたＰＲＭＬ処理が行なわれ、抽出部２１の入力は“０”や“１”といった硬値ではなく、“０”らしさ、“１”らしさを表す軟値となる。
【００１９】
上記抽出部２１からの再生ＲＬＬ符号化系列データは、インターリーブ部２２に入力されて、ここで、インターリーブされる。このインターリーブ処理は、先のＲＬＬ規則適用部１１の出力に対してインターリーブ部１２がインターリーブ処理するのと同じである。
【００２０】
インターリーブ部２２の出力を１次インターリーブド系列データと称する。この１次インターリーブド系列データは、ＬＤＰＣ復号部２３に入力され、先のパリティーとともに処理される。即ち、１次インターリーブド系列データが復号処理され、訂正後インターリーブド系列データとして出力される。
【００２１】
この訂正後インターリーブド系列データは、デインターリーブ部２４に入力されて、デインターリーブ処理される。この処理結果は、訂正後ＲＬＬ符号化系列データとして、変調規則解除部、この場合はＲＬＬ規則解除部２５に入力され、ここで変調規則であるＲＬＬ規則が解除される。これにより復号データが得られる。
【００２２】
上記したようにこの装置によると、ＲＬＬ規則を維持した状態で、ＲＬＬ符号化系列データが記録媒体に記録され、また記録媒体から再生される。しかし、再生されたＲＬＬ符号化系列データに対しては、ＬＤＰＣ復号処理が行われる仕組みとなっている。この結果、ランダムエラーのみならず、バーストエラーに対しても訂正能力が高いＬＤＰＣ符号化・復号化が可能となる。
【００２３】
上記の説明では、出力部１５の出力データが、記録媒体１００に記録されるものとして説明したが、これに限定されるものではなく、伝送系に向かって出力されてもよい。
【００２４】
図２には、上記した装置の動作をデータの変遷とともに示すフローチャートである。記録系のデータには、Ｗを付しており、再生系のデータにはＲを付している。ユーザデータＷ１がＲＬＬ符号化系列データＷ２に変換される。このＲＬＬ符号化系列データＷ２がインターリーブド系列データＷ３に変換される。さらにこのインターリーブド系列データＷ３が、ＬＤＰＣ符号化され、ＬＤＰＣパリティー系列データが得られる。
【００２５】
このＬＤＰＣパリティー系列データのパリティーが複数に分割され、ＲＬＬ符号化系列データ内に分散埋設される。
【００２６】
再生系のデータについて説明する。ＬＤＰＣパリティー系列データのパリティーが複数に分割され、分散埋設された混合ＲＬＬ符号化系列データは、パリティーとＲＬＬ符号化系列データとに分離される。分離されたデータを、再生ＬＤＰＣパリティーと、１次再生ＲＬＬ符号化系列データと称する。次に、１次再生ＲＬＬ符号化系列データＲ２’は、インターリーブ処理され、１次インターリーブド系列データとなる。
【００２７】
このインターリーブ処理は、記録系におけるインターリーブ処理と同じように行われる。記録系では、このインターリーブド系列データに対してＬＤＰＣ符号化を行なったのであるから、再生ＬＤＰＣパリティーを用いて、１次インターリーブド系列データに対してＬＤＰＣ復号処理を行うことができる。この復号されたデータを訂正後インターリーブド系列データＲ３’’と称する。
【００２８】
この訂正後インターリーブド系列データＲ３’’に対してデインターリーブ処理を行うと、訂正後ＲＬＬ符号化系列データＲ２’を得ることができる。この訂正後ＲＬＬ符号化系列データＲ２’が、記録系におけるＲＬＬ符号化系列データＷ２に対応する。したがって、訂正後ＲＬＬ符号化系列データＲ２’をＲＬＬ解除すれば、ユーザデータを復号できる。
【００２９】
ところで、ＰＲＭＬ方式のように積極的に波形干渉を利用して信号処理を行なう方式では、最尤復号後にビット間に相関を持った連続エラーを生じることがある。このような連続エラーが生じた場合、次に復号処理を行うＬＤＰＣ復号器にとっては不利となる。しかし、上記したようにインターリーブ処理を導入することにより、ＬＤＰＣ符号化・復号化機能の性能を十分に発揮させることができる。
【００３０】
なお、ＰＲＭＬ技術について、簡単に以下説明する。近年、記録密度を上げるためにＰＲＭＬ技術が採用されている。パーシャルレスポンス（ＰＲ）は、符号間干渉（隣り合って記録されているビットに対応する再生信号同士の干渉）を積極的に利用し、必要な信号帯域を圧縮しつつデータ再生を行う方法である。この時の符号間干渉の発生のさせかたによってさらに複数種類クラスに分類できるが、例えばクラス１の場合、記録データ”1”に対して再生データが”１１”の２ビットデータとして再生され、後続の1ビットに対して符号間干渉を発生させる。また、ビタビ復号方式（ＭＬ）は、いわゆる最尤系列推定方式の一種であって、再生波形のもつ符号間干渉の規則を有効に利用し、複数時刻にわたる信号振幅の情報に基づいてデータ再生を行う。この処理のために、記録媒体から得られる再生波形に同期した同期クロックを生成し、このクロックによって再生波形自身をサンプルし振幅情報に変換する。その後適切な波形等化を行うことによってあらかじめ定めたパーシャルレスポンスの応答波形に変換し、ビタビ復号部において過去と現在のサンプルデータを用い、最も確からしいデータ系列を再生データとして出力する。以上のパーシャルレスポンス方式とビタビ復号方式（最尤復号）を組み合わせる方式をＰＲＭＬ方式と呼んでいる。
【００３１】
次にＰＲＭＬ技術で用いられるラン長制限符号について説明する。ＰＲＭＬ再生回路では、記録媒体から再生された信号自身から、これに同期したクロックを生成する。安定したクロックを生成するために、記録信号は予め定めた時間以内で極性が反転する必要がある。同時に、記録信号の最高周波数を下げるために予め定めた時間中では記録信号の極性が反転しないようにする。ここで、記録信号の極性が反転しない最大データ長を最大ラン長と呼び、極性が反転しない最小データ長を最小ラン長と呼ぶ。最大ラン長が７ビットで、最小ラン長が１ビットである変調規則を(１，７)ＲＬＬと呼び、最大ラン長が７ビットで、最小ラン長が２ビットである変調規則を(２，７)ＲＬＬと呼んでいる。
【００３２】
図３にはこの発明が適用された情報記録再生装置の一例を示している。図３では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。
【００３３】
この装置は、例えば衛星放送用チューナ１１１、地上波デジタル放送用チューナ１１２、地上アナログ放送用チューナ１１３、などを搭載し、各種の放送信号を受信することができる。また外部入力部１１４も備える。録画用信号処理部１１５は、チューナ及び外部入力部１１４からの信号を選択し、録画用信号としてエンコーダ１２１に導入することができる。
【００３４】
エンコーダ１２１は、バッファメモリ１２２を利用して、録画用信号を所定のフォーマットに変換し、記録再生処理部１４２に送る。所定のフォーマットとは、例えばデジタルバーサタイルディスク（ＤＶＤ）規格に基づいたフォーマットである。ＤＶＤ  Ｖｉｄｅｏフォーマットや、ＤＶＤ-レコーディング規格で規定されたフォーマット（ＤＶＤ  ＶＲフォーマット、ＤＶＤ  Ｒフォーマット、ＤＶＤ  ＲＷフォーマットがある）、さらにレコーディング用ハイデンシティ又はハイディフィニションＤＶＤ（ＨＤ  ＤＶＤ）規格などがある。
【００３５】
なおトランスポートストリームから抽出したパケットエレメンタリーストリームがエンコーダ１２１から、直接、記録再生処理部１４２に供給される場合もある。
【００３６】
記録再生処理部１４２では、エラー訂正コードの付加、ＲＬＬ変調処理などが施される。即ち図１、図２で説明した処理が行われる。この記録再生処理部１４２の出力は、ハードディスクドライバ１４４若しくは光ディスクドライバ１４５に入力される。変調信号がいずれのディスクドライバ１４４，１４６に入力されるかは、制御部１５１からのコマンドに応じて切り替えらえる。なお、ディスクドライバ１４４、１４６は、それぞれハードディスク１４５、光ディスク１４７に対する回転制御系、レーザ駆動系、光学系などを有する。
【００３７】
今、記録媒体としてハードディスク１４５が指定されているものとすると、変調信号はハードディスクドライバ１４４に入力され、ハードディスク１４５に記録される。逆に、記録媒体として光ディスク１４７が指定されているものとすると、変調信号は光ディスクドライバ１４６に入力され、光ディスク１４７に記録される。  ハードディスクドライバ１４４により、ハードディスク１４５から読み出された信号は、記録再生処理部１４２のＲＬＬ及びＬＤＰＣ処理部１４Ａで復調処理、エラー訂正処理などが施される。即ち図１、図２で説明したような処理が実行される。同様に、光ディスクドライバ１４６により、光ディスク４７から読み出された信号は、記録再生処理部１４２のＲＬＬ及びＬＤＰＣ処理部１４Ａで復調処理、エラー訂正処理などが施される。即ち図１、図２で説明したような処理が実行される。
【００３８】
記録再生処理部１４２から得られた復号化コンテンツは、デコーダ１３１にておいて、デコード処理される。ここでは、例えばＤＶＤフォーマットのコンテンツが、パケット分離され、オーディオストリーム、ビデオストリームなどに分離される。
【００３９】
オーディオストリームは、ＰＣＭ方式の復調処理、或いはＭＰＧ方式の復調処理を施され、オーディオセレクタ１３２を介してデジタルアナログ（Ｄ／Ａ）変換器１３３に入力されアナログ信号に変換される。アナログオーディオ信号はスピーカ１３４にて音声信号として出力される。
【００４０】
ビデオストリームは、例えばＭＰＥＧ２方式の復調処理を施され、ビデオミキシング部１３５に入力される。ビデオミキシング部１３５の出力は、Ｄ／Ａ変換器１３５で変換されたビデオ信号は、ディスプレイ１３７に入力される。ビデオミキシング部１３５では、メイン映像データに対して、制御部１５１からの文字、図形などの表示データ（オンスクリーンディスプレイデータとも称される）を多重することができる。また、エンコーダ１２１からの出力信号がベースバンド信号を多重することもできる。
【００４１】
制御部１５１は、マイクロコンピュータを含み、この記録装置の各ブロックを統括して制御する。制御部１５２には、動作モードなどを表示する表示部１５２が接続されている。また操作信号入力部（リモートコントローラを含む）１５３から、記録、再生、削除、選局、チャンネル選択などの操作信号を入力することができる。
【００４２】
またハードディスク１４５あるいは光ディスク１４７に記録されている複数番組のビデオオブジェクトを、一部削除したり、異なる番組のオブジェクトをつなげたり、といった編集処理を行うこともできる。
【００４３】
また制御部１５１は、ネットワークインターフェース（図示せず）を介して、外部ネットワークに接続することが可能である。これにより、外部のサーバーから電子番組案内情報（ＤＥＰＧ：Dynamic Electronic Program Guide）を取り込むことも可能である。
【００４４】
さらに制御部１５１は、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。また装置の各ブロックを統括して制御するために必要な各種の情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。また制御部１５１は、録画を実行する際の管理情報の制御部と、編集を実行する際の管理情報制御部も備える。
【００４５】
さらに、制御部１５１は、ＥＰＧ情報処理部（番組案内情報のテーブルを有する番組案内情報処理部）１５１ａ、チューナなどを制御する選局処理制御部１５１ｂを有する。また基本的な制御手段として、この制御部１５１は、記録処理制御部１５１ｃ、再生処理制御部１５１ｄを含む。また表示処理制御部５１ｈを含む。表示処理制御部５１ｈは、ユーザの操作に応じてグラフィックユーザインタフェースとなる画面を出力する。
【００４６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４７】
【図１】この発明の装置の基本的構成を示す図である。
【図２】図１の装置の動作を示すフローチャートである。
【図３】この発明が適用された情報記録再生装置のブロック構成を示す図である。
【符号の説明】
【００４８】
１１…ＲＬＬ規則適用部、１２…インターリーブ部、１３…ＬＤＰＣパリティー生成部、１４…挿入部、１５…出力部、２１…抽出部、２２…インターリーブ部、２３…ＬＤＰＣ復号部、２４…デインターリーブ部、２５…ＲＬＬ規則解除部。
【図１】
2008011205.tif 000003
【図２】
2008011205.tif 000004
【図３】
2008011205.tif 000005